【事件の表示】
　平成　９年特許願第　５７４６８号「デジタル複写機及び画像情報の分割方法」拒絶査定不服審判事件〔平成１０年　９月２５日出願公開、特開平１０−２５７２２３〕について、次のとおり審決する。
【結　論】
　本件審判の請求は、成り立たない。
【理　由】
１．手続きの経緯・本願発明
　本願は、平成９年３月１２日の出願され、平成１６年１月２３日付けで拒絶査定がなされ、これに対し平成１６年１月２７日付けで拒絶査定に対する審判請求がなされたものであって、その請求項１−６に係る発明は、平成１４年６月１９日及び平成１６年１月５日付けの手続補正によって補正された明細書及び図面の記載からみて、特許請求の範囲の請求項１−６に記載されたとおりのものと認められるところ、請求項１に係る発明（以下、「本願発明」という。）は、次のとおりのものである。
　
　「【請求項１】原稿を読み取って、該原稿に対応する画像情報を生成する原稿読み取り手段と、
　上記原稿読み取り手段によって生成された画像情報を、副走査方向に並ぶ複数のブロックに分割する画像情報分割手段と、
　上記画像情報をブロック単位で圧縮する圧縮器と、
　圧縮された画像情報をブロック単位で伸張する複数の伸張器と、
　伸張された画像情報に基づいて、上記原稿の複写画像をプリントするプリント手段とが設けられているデジタル複写機であって、
　上記画像情報の副走査方向のブロック数を、上記伸張器の個数と自然数とをかけあわせた値に設定するブロック数設定手段が設けられていることを特徴とするデジタル複写機。」
　
２．引用刊行物
　原審が拒絶の理由で引用した特開平８−３９９２２号公報（平成８年５月３１日出願公開）（以下、「引用例１」という。）には、図面と共に次の各記載がある。
　
（ア）「【０００１】
【産業上の利用分野】本発明は、
画像データをブロックに分割し、各ブロック毎のデータ処理を並列して行う画像データ処理装置に関する
（中略）
【０００７】本発明は上記従来の事情に鑑みなされたもので、
処理時間の大幅な削減を実現し
【０００８】
【課題を解決するための手段】上記目的を達成するため、
本発明の画像データ処理装置は、画像データをブロックに分割して、これらブロック毎の画素データに所定の演算処理を施す画像データ処理装置において、互いに並列して前記ブロック毎の演算処理を行う処理系を複数設け、当該処理系のそれぞれは、前記ブロック毎の画素データを保持するブロックメモリと、前記ブロックメモリとの間でデータの読み書きを行う入出力コントローラと、前記入出力コントローラによって読み出されたデータの演算処理を行う演算手段と、前記演算手段による演算結果を保持するデータメモリと、を備えた
【０００９】
【作用】本発明の画像データ処理装置では画像データのブロックを各処理系で並列して処理する。すなわち、各処理系のブロックメモリには画像データ中の異なるブロックのデータが保持され、これらブロックメモリの画素データを各入出力コントローラが読み出す。そして、各ブロックの画素データにそれぞれの演算手段が所定の演算処理を施し、演算結果をデータメモリに格納する。
したがって、画像データを処理するためのデータ読み出し及び演算処理は処理系の数で除した回数で済み、画像データが迅速に処理できる。ここに、処理時間の短縮を達成するために、究極的には、処理系を処理対象のブロックの個数分設けておくのが好ましい
　なお、下線は当審において附された。以下、同様。
　
（イ）「【００１０】
【実施例】本発明の一実施例に係る画像データ処理装置を図面を参照して説明する。本実施例の画像データ処理装置は、ｉ画素×ｊ画素の
画像データＧをｍ画素×ｎ画素のブロックＢに分割し
【００１１】それぞれの処理系１３ａ、１３ｂ、・・・１３ｋには、入出力コントローラ１３から送られてきたブロックＢ毎の画素データを保持するブロックメモリ１４と、ブロックメモリ１４との間でデータの読み書きを行う入出力コントローラ１５と、入出力コントロー他１５から送られてきたブロックＢ毎のデータに対して所定の演算処理を行うＣＰＵ等の演算手段１６と、演算手段１６による演算結果を保持するデータメモリ１７とが備えられている。
各処理系１３ａ、１３ｂ、・・・１３ｋは互いに独立して処理を行い、図外の制御手段によってブロックＢの画素データを各処理系１３ａ、１３ｂ、・・・１３ｋが並列処理するように制御されている
【００１２】上記構成の画像データ処理装置では、入出力コントローラ１２が画像データメモリ１１をラスタスキャンし、ｉ画素×ｊ画素の
画像データＧをｍ画素×ｎ画素のブロックＢに分割して順次読み出し、読み出したブロックＢの画素データをそれぞれブロックメモリ１４へ送る。すなわち、画像データメモリ１１に保持されている画像データＧは、各ブロックＢの演算処理の終了を待つことなく、ブロックＢ毎に読み出されて各処理系１３ａ、１３ｂ、・・・１３ｋへ演算処理のために送られる
【００１３】そして、各ブロックＢの画素データは各ブロックメモリ１４で保持され、こらら各ブロックＢの画素データは各入出力コントローラ１５によって読み出される。入出力コントローラ１５が読み出したブロックＢの画素データは演算手段１６へ送られ、演算手段１６がブロックＢ（ｍ画素×ｎ画素）の画素データについて近傍処理の演算を行って、演算結果をデータメモリ１７に格納する。すなわち、画像データＧはブロックＢ毎に各処理系１３ａ、１３ｂ、・・・１３ｋで並列に演算処理され、その演算結果がデータメモリ１７に格納される。なお、各データメモリ１７に格納された演算結果は、例えば、演算手段１６、入出力コントローラ１６を介して各ブロックメモリ１４へ再送され、各ブロックメモリ１４から入出力コントローラ１２を介して読み出されて、図外の装置によって画像表示、画像伝送等の処理が施される。
【００１４】
したがって、本実施例のように処理系１３ａ、１３ｂ、・・・１３ｋをブロックＢの個数ｋと同数設けた場合には、図２に示すように、従来に較べてブロックの個数ｋで除した処理時間Ｔ’で画像データＧの演算処理を行うことができる
【００１５】なお、本発明においては、上記の実施例に限定されることなく種々に変更することが可能である。
例えば、並列処理を行う処理系をブロックＢの個数分設けずとも２つ以上の複数個設けるようにしてもよく
【００１６】
【発明の効果】以上説明したように、本発明の画像データ処理装置によると、
画像データの各ブロックを演算処理する処理系を複数設け、各処理系にて並列処理を行うようにしたため、処理時間の大幅な削減を実現
　
　以上の記載からみて、引用例１には次のような発明が記載されているものと認められる。
　「画像データをブロックに分割して、これらブロック毎の画素データに所定の演算処理を施す画像データ処理装置において、
　互いに並列して前記ブロック毎の演算処理を行う処理系を複数設け、当該処理系のそれぞれは、ブロック毎の画素データを保持するブロックメモリと、ブロックメモリとの間でデータの読み書きを行う入出力コントローラと、入出力コントローラによって読み出されたデータの演算処理を行う演算手段と、演算手段による演算結果を保持するデータメモリとを備えた画像データ処理装置。」
　
３．対比
　本願発明と引用例１に記載された発明とを対比すると、
　引用例１に記載された発明の「ブロックＢ」は、本願発明の「ブロック」に相当することは明らかである。また、引用例１に記載された発明の「複数の処理系１３ａ〜１３ｋ」及び「画像データ処理装置」は、それぞれ、本願発明の「複数の伸張器」及び「デジタル複写機」に対応することも明らかである。
　
　そして、引用例１には、画像データＧを主走査方向及び副走査方向に並ぶ複数のブロックＢに分割し、該ブロックＢ毎の画素データを各処理系１３ａ〜１３ｋで並列して演算処理し、画像処理速度を向上することが記載されているから、本願発明と引用例１に記載された発明とは、
　「画像情報を、副走査方向に並ぶ複数のブロックに分割する画像情報分割手段と、画像情報をブロック単位で処理する複数の処理系と、が設けられている」
点において差異はない。
　
　引用例１には、
(i)「【０００９】
【作用】本発明の画像データ処理装置では画像データのブロックを各処理系で並列して処理する。すなわち、各処理系のブロックメモリには画像データ中の異なるブロックのデータが保持され、これらブロックメモリの画素データを各入出力コントローラが読み出す。そして、各ブロックの画素データにそれぞれの演算手段が所定の演算処理を施し、演算結果をデータメモリに格納する。
したがって、画像データを処理するためのデータ読み出し及び演算処理は処理系の数で除した回数で済み、画像データが迅速に処理できる
究極的には、処理系を処理対象のブロックの個数分設けておくのが好ましい
(ii)「【００１４】したがって、
本実施例のように処理系１３ａ、１３ｂ、・・・１３ｋをブロックＢの個数ｋと同数設けた場合には、図２に示すように、従来に較べてブロックの個数ｋで除した処理時間Ｔ’で画像データＧの演算処理を行うことができる
(iii)「【００１５】なお、本発明においては、上記の実施例に限定されることなく種々に変更することが可能である。
例えば、並列処理を行う処理系をブロックＢの個数分設けずとも２つ以上の複数個設けるようにしてもよく
(iv)「【０００４】このような画像データ処理装置において、入出力コントローラ２が画像データメモリ１をラスタスキャンし、
ｉ画素×ｊ画素の画像データＧをｍ画素×ｎ画素のブロックＢに分割し
(v)「【００１０】
【実施例】本発明の一実施例に係る画像データ処理装置を図面を参照して説明する。本実施例の画像データ処理装置は、
ｉ画素×ｊ画素の画像データＧをｍ画素×ｎ画素のブロックＢに分割し
との記載がなされており、また引用例１の図面第１図には、
(vi)原稿Ｇの副走査方向の画素数ｉがブロックＢの副走査方向の画素数ｎの倍数であり、原稿Ｇの主走査方向の画素数ｊがブロックの主走査方向の画素数ｍの倍数であることの開示がなされている。
　これらの記載及び開示からみるに、(i)「画像データを処理するためのデータ読み出し及び演算処理が、ブロックの個数を処理系１３ａ〜１３ｋの個数ｋで除した回数で済む」との記載は、ブロック数が処理系の個数ｋで除算可能であること、すなわちブロックの個数Ｂを処理系の個数ｋで除した商つまりＢ／ｋが、２．３３などという半端な数ではなく、１，２，３，...という自然数であることを示していることは明白である。また、(i),(ii)「処理系の個数を処理対象のブロックの個数分設ける」との記載は、ブロックの個数を処理系の個数ｋで除した商が自然数１であることを示している。
　そして、(iv),(v)「i画素×ｊ画素の画像データＧをｍ画素×ｎ画素のブロックＢに分割する」との記載及び（vi)「画像データＧのブロック分割の様子を示す図面第１図」の開示は、画像データＧの副走査方向の画素数ｉがブロックＢの副走査方向のサイズ（画素数ｎ）で割り切れることを示しており、かつ画像は各処理系でブロック単位に並列処理されるのであるから、前記(iv),(v),（vi)は、副走査方向のブロック数が処理系の個数ｋで割り切れること、すなわち副走査方向のブロック数が処理系の個数と自然数とを掛け合わせた値に設定されていることを示しているから、本願発明と引用例１に記載された発明とは、
　「副走査方向のブロック数を、処理系の個数と自然数とをかけあわせた値に設定するブロック数設定手段が設けられている」
点で差異はない。
　
　そうすると、本願発明と引用例１に記載された発明とは、
（一致点）
　「画像情報を、副走査方向に並ぶ複数のブロックに分割する画像情報分割手段と、
　上記画像情報をブロック単位で処理する複数の処理系とが設けられている画像データ処理装置であって、
　上記画像情報の副走査方向のブロック数を、上記処理系の個数と自然数とをかけあわせた値に設定するブロック数設定手段が設けられている」
点で一致し次の点で相違する。
　
（相違点１）
　本願発明は、原稿読み取り手段とプリント手段を有しているのに対し、引用例１に記載された発明は、原稿読み取り手段とプリント手段を有するとは明記しない点。
　
（相違点２）
　本願発明はデジタル複写機に関し、その処理は画像の圧縮と伸張であるのに対して、引用例１に記載された発明は画像データ処理装置に関し、その処理は画像データに対する演算処理である点。
　
４．当審の判断
（相違点１について）
　前記相違点１について判断するに、画像読み取り手段と画像プリント手段とを備えたデジタル複写機は、当業者のみならず複写機のユーザーには周知であるから、引用例１に記載された発明の画像データ処理装置を、画像読み取り手段と画像プリント手段とを備えた周知のデジタル複写機となし、本願発明の如く構成することは、当業者が適宜なし得ることである。
　
（相違点２について）
　前記相違点２について判断するに、
(i)圧縮器及び伸張器を備えたデジタル複写機は、当業者のみならず複写機のユーザーには周知である。
(ii)また、画像データを複数のブロックに分割し、ブロック単位で画像の圧縮及び伸張処理を行い、圧縮及び伸張処理の速度を上げることは、当業者には周知である。この点については、例えば、原審が拒絶の理由で引用した特開平７−１５４６０３号公報及び特開平８−３１７２２５号公報を参照のこと。
　以上の(i)及び(ii)に示される周知技術事項を踏まえると、引用例１に記載された発明の画像処理装置を圧縮器及び伸張器を備えた周知のデジタル複写機となし、本願発明の如く構成することは、当業者が適宜なし得ることである。
　
５．むすび
　以上のとおり、本願発明は、引用例１に記載された発明と周知技術とに基いて当業者が容易に発明をすることができたものであり、特許法第２９条第２項の規定により特許を受けることができないものであるから、他の請求項について検討するまでもなく、本願は特許を受けることができない。
　よって、結論のとおり審決する。